(57)【要約】【課題】使用者の肩の上面側を略上方から揉みほぐすことができるマッサージ機及びそれを備えた椅子を提供する。【解決手段】使用者の背中を保持する背凭れ部（４０）と、前記背凭れ部と別体であり、使用者の頭又は／及び首を保持するピロー部（５０）と、前記ピロー部を前記背凭れ部の略上方に支持する支持部材（３５）と、を備え、前記ピロー部は、前面上部から略前方に突出するように設けられた左右一対の揉み玉（８６）と、前記揉み玉を動作させる動作機構（６０）と、前記揉み玉を前傾させてその状態を保持することができる前傾保持部（９４）とを有する。【選択図】図５
2016116841.tif 000002
【特許請求の範囲】
【請求項１】
使用者の背中を保持する背凭れ部と、
前記背凭れ部と別体であり、使用者の頭又は／及び首を保持するピロー部と、
前記ピロー部を前記背凭れ部の略上方に支持する支持部材と、を備え、
前記ピロー部は、
前面上部から略前方に突出するように設けられた左右一対の揉み玉と、
前記揉み玉を動作させる動作機構と、
前記揉み玉を前傾させてその状態を保持することができる前傾保持部と、を有する、ことを特徴とするマッサージ機。
【請求項２】
使用者の背中を保持する背凭れ部と、
前記背凭れ部と別体であり、使用者の頭又は／及び首を保持するピロー部と、
前記ピロー部を前記背凭れ部の略上方に支持する支持部材と、を備え、
前記ピロー部は、
正面視において上側略中央部に形成された切欠部と、
前記切欠部の縦中心線に対して略線対称に、前面から略前方に突出するように設けられた左右一対の揉み玉と、
前記揉み玉を動作させる動作機構と、
前記揉み玉を前傾させてその状態を保持することができる前傾保持部と、を有する、ことを特徴とするマッサージ機。
【請求項３】
前記ピロー部は、前記前傾保持部により、前記背凭れ部となす角度が少なくとも略９０度となる位置まで前傾可能である、ことを特徴とする請求項１又は２に記載のマッサージ機。
【請求項４】
前記前傾保持部は、前記背凭れ部に対する前傾角度を調節可能に保持すること、を特徴とする請求項１乃至３のいずれか１つに記載のマッサージ機。
【請求項５】
前記ピロー部は、前記支持部材の突出長さを調節することにより、前記背凭れ部に対して上下方向の位置調節可能に設けられている、ことを特徴とする請求項１乃至４のいずれか１つに記載のマッサージ機。
【請求項６】
前記動作機構は、前記揉み玉を回転動作させ、
前記揉み玉は、正面視においてその先端部の軌跡が略円形である、ことを特徴とする請求項１乃至５のいずれか１つに記載のマッサージ機。
【請求項７】
前記動作機構は、前記揉み玉を回転動作させ、
前記揉み玉は、先端が球面状の円筒形状であり、前記ピロー部の前面から斜めに突出するように、かつ、所定の間隔で配設された、ことを特徴とする請求項１乃至５のいずれか１つに記載のマッサージ機。
【請求項８】
前記背凭れ部と別体に形成された座部と、
前記背凭れ部に前記座部を着脱可能に繋ぐ繋ぎ部と、をさらに備え、
前記座部は、マッサージ機能を有するマッサージ機構を内蔵している、ことを特徴とする請求項１乃至７のいずれか１つに記載のマッサージ機。
【請求項９】
前記背凭れ部と別体に形成された座部と、
前記背凭れ部と前記座部とを繋ぐ繋ぎ部と、をさらに備え、
前記座部は、前記繋ぎ部により前記背凭れ部に対して高さ調節可能に設けられている、ことを特徴とする請求項１乃至７のいずれか１つに記載のマッサージ機。
【請求項１０】
前記繋ぎ部には、柔軟性を有するシート状の部材が用いられている、ことを特徴とする請求項８又は９に記載のマッサージ機。
【請求項１１】
使用者の背中を保持する背凭れ部と、
前記背凭れ部と別体であり、使用者の頭又は／及び首を保持するピロー部と、
前記ピロー部を前記背凭れ部の略上方に支持する支持部材と、を備え、
前記ピロー部は、
前面上部から略前方に突出するように設けられた左右一対の揉み玉と、
前記揉み玉を動作させる動作機構と、
前記揉み玉を前傾させてその状態を保持することができる前傾保持部と、を有する、ことを特徴とするマッサージ機を備えた椅子。
【請求項１２】
使用者の背中を保持する背凭れ部と、
前記背凭れ部と別体であり、使用者の頭又は／及び首を保持するピロー部と、
前記ピロー部を前記背凭れ部の略上方に支持する支持部材と、を備え、
前記ピロー部は、
正面視において上側略中央部に形成された切欠部と、
前記切欠部の縦中心線に対して略線対称に、前面から略前方に突出するように設けられた左右一対の揉み玉と、
前記揉み玉を動作させる動作機構と、
前記揉み玉を前傾させてその状態を保持することができる前傾保持部と、を有する、ことを特徴とするマッサージ機を備えた椅子。
【発明の詳細な説明】
【技術分野】
【０００１】
本発明は、使用者の肩の上面側を略上方から効果的に揉みほぐすことができるマッサージ機及びそれを備えた椅子に関する。
【背景技術】
【０００２】
近年、自宅で手軽に疲れを癒すことができるリラクゼーション機器としてマッサージ機が普及しており、使用者の身体の各部を効果的に揉みほぐすことができるように、様々な機能を有するものが開発されている。マッサージ手段としては、揉み玉の移動によるものや、エアーバックの膨縮によるものなどがあり、使用者が揉みほぐしたい患部の位置に合わせて調節できるように構成されている。
【０００３】
例えば、特許文献１の特開２０１０−２１４０２７号「マッサージ機」には、被施療者の臀部を載せる座部の後側に背凭れ部主体が配備され、該背凭れ部主体の上部に補助背凭れ部が、背凭れ部用の傾動保持装置を介して背凭れ部主体に対して前後に傾き可能且つ傾き角度調節可能に支持されており、該補助背凭れ部にマッサージ手段が配備されているマッサージ機が提案されている。
【先行技術文献】
【特許文献】
【０００４】
【特許文献１】特開２０１０−２１４０２７号公報
【発明の概要】
【発明が解決しようとする課題】
【０００５】
しかし、特許文献１に記載の「マッサージ機」は、背凭れ部の一部を前傾可能とする構成としているため、その傾斜角度には制限があり、使用者の肩部に当たる角度を好みの角度としてその背面側を揉みほぐすことはできても、肩の上面側を効果的に揉みほぐすことができる構成とはなっていなかった。
【０００６】
本発明は、かかる問題点を解決するために創案されたものである。すなわち、本発明の目的は、背凭れ部とは別体であり、背凭れ部の上方に前傾可能に支持部材により支持されるピロー部を備え、その前面から略前方に突出するように揉み玉を設けることにより、ピロー部を深く前傾させた際に使用者の肩の上面側を略上方から揉みほぐすことができるマッサージ機及びそれを備えた椅子を提供することにある。
【課題を解決するための手段】
【０００７】
本発明の第一の実施態様におけるマッサージ機は、使用者の背中を保持する背凭れ部と、前記背凭れ部と別体であり、使用者の頭又は／及び首を保持するピロー部と、前記ピロー部を前記背凭れ部の略上方に支持する支持部材と、を備え、前記ピロー部は、前面上部から略前方に突出するように設けられた左右一対の揉み玉と、前記揉み玉を動作させる動作機構と、前記揉み玉を前傾させてその状態を保持することができる前傾保持部とを有する、ことを特徴とする。
本発明の第二の実施態様におけるマッサージ機は、使用者の背中を保持する背凭れ部と、前記背凭れ部と別体であり、使用者の頭又は／及び首を保持するピロー部と、前記ピロー部を前記背凭れ部の略上方に支持する支持部材と、を備え、前記ピロー部は、正面視において上側略中央部に形成された切欠部と、前記切欠部の縦中心線に対して略線対称に、前面から略前方に突出するように設けられた左右一対の揉み玉と、前記揉み玉を動作させる動作機構と、前記揉み玉を前傾させてその状態を保持することができる前傾保持部とを有する、ことを特徴とする。
前記ピロー部は、前記前傾保持部により、前記背凭れ部となす角度が少なくとも略９０度となる位置まで前傾可能に構成してもよい。
前記前傾保持部は、前記背凭れ部に対する前傾角度を調節可能に保持するようにしてもよい。
また、前記ピロー部は、前記支持部材の突出長さを調節することにより、前記背凭れ部に対して上下方向の位置調節可能に設けることもできる。
前記動作機構は、前記揉み玉を回転動作させ、前記揉み玉は、正面視においてその先端部の軌跡が略円形であるようにすることも好ましい。
前記動作機構は、前記揉み玉を回転動作させ、前記揉み玉は、先端が球面状の円筒形状であり、前記ピロー部の前面から斜めに突出するように、かつ、所定の間隔で配設してもよい。
前記背凭れ部と別体に形成された座部と、前記背凭れ部に前記座部を着脱可能に繋ぐ繋ぎ部と、をさらに備えた構成として、前記座部に、マッサージ機能を有するマッサージ機構を内蔵させてもよい。
また、前記背凭れ部と別体に形成された座部と、前記背凭れ部と前記座部とを繋ぐ繋ぎ部と、をさらに備えた構成として、前記座部を、前記繋ぎ部により前記背凭れ部に対して高さ調節可能に設けることもできる。
前記繋ぎ部には、柔軟性を有するシート状の部材を用いてもよい。
【０００８】
本発明の第三の実施態様におけるマッサージ機を備えた椅子は、使用者の背中を保持する背凭れ部と、前記背凭れ部と別体であり、使用者の頭又は／及び首を保持するピロー部と、前記ピロー部を前記背凭れ部の略上方に支持する支持部材と、を備え、前記ピロー部は、前面上部から略前方に突出するように設けられた左右一対の揉み玉と、前記揉み玉を動作させる動作機構と、前記揉み玉を前傾させてその状態を保持することができる前傾保持部とを有する、ことを特徴とする。
本発明の第四の実施態様におけるマッサージ機を備えた椅子は、使用者の背中を保持する背凭れ部と、前記背凭れ部と別体であり、使用者の頭又は／及び首を保持するピロー部と、前記ピロー部を前記背凭れ部の略上方に支持する支持部材と、を備え、前記ピロー部は、正面視において上側略中央部に形成された切欠部と、前記切欠部の縦中心線に対して略線対称に、前面から略前方に突出するように設けられた左右一対の揉み玉と、前記揉み玉を動作させる動作機構と、前記揉み玉を前傾させてその状態を保持することができる前傾保持部とを有する、ことを特徴とする。
【発明の効果】
【０００９】
本発明のマッサージ機及びそれを備えた椅子によれば、背凭れ部と別体であるピロー部を、支持部材を介して背凭れ部に支持させることにより、背凭れ部とピロー部との間に隙間を作ることができ、ピロー部を深く前傾させることができる。また、ピロー部の上部から揉み玉を突出させたり切欠部を形成したりすることにより、使用者の後頭部などが入り込む空間を設けているので、頭にぶつかることなくピロー部を前傾させて、肩の上面側の筋肉を略上方から揉みほぐすことができる。さらに、ピロー部の前傾角度を調節可能に保持できる構成とすることにより、後頭部から首筋、首の付け根や肩の上面側の筋肉の所望の箇所を揉みほぐすことが可能となる。
【図面の簡単な説明】
【００１０】
【図１】実施例１のマッサージ機を備えた椅子を示す斜視図である。
【図２】実施例１のマッサージ機を備えた椅子について、（ａ）は椅子を折り畳んだ状態を示す側面図、（ｂ）はマッサージ機を折り畳んだ状態を示す側面図である。
【図３】実施例１のマッサージ機の座部の下に高さ調節部材を差し込んだ状態を示す側面図である。
【図４】実施例１のマッサージ機の下マッサージ手段を説明するための正面図である。
【図５】実施例１のマッサージ機のピロー部を説明するための拡大正面図である。
【図６】実施例１のマッサージ機のピロー部の角度調節機能について説明する斜視図である。
【図７】実施例１のマッサージ機のピロー部の枕本体部に内蔵されている部材を示す分解斜視図である。
【図８】実施例１のマッサージ機のピロー部に内蔵される傾斜偏心板を示す説明図である。
【図９】実施例１のマッサージ機を備えた椅子の使用状態を示す一部拡大斜視図である。
【図１０】実施例２のマッサージ機を備えた椅子のピロー部を説明するための一部拡大正面図である。
【図１１】実施例２のマッサージ機を備えた椅子のピロー部を説明するための一部拡大斜視図である。
【図１２】実施例２のマッサージ機を備えた椅子の使用状態を示す一部拡大斜視図である。
【図１３】実施例２のマッサージ機を備えた椅子の繋ぎ部を説明するための一部拡大斜視図である。
【発明を実施するための形態】
【実施例１】
【００１１】
以下、本発明の実施の形態を図面を参照して説明する。
図１は本発明の実施例１のマッサージ機を備えた椅子Ａを示し、マッサージ機３を椅子１に設置した状態を示す斜視図である。図２（ａ）は椅子１を折り畳んだ状態を示す側面図であり、図２（ｂ）はマッサージ機３を折り畳んだ状態を示す側面図である。図３は、マッサージ機３の座部３０の下に高さ調節部材Ｃを差し込んだ状態を示す部分側面図である。
図１に示すように、マッサージ機を備えた椅子Ａは、マッサージ機３と、これが取り外し可能に前面側に設置される折り畳み収納可能な椅子１とからなる。なお、図面において、マッサージ機３の背凭れ部４０の下端側部背面側から延びる電源コードと電源プラグ、リモコンとリモコンコードについては、便宜上省略している。また、以下の説明において、椅子１と対向する位置から視認した状態を基準として、使用者が座る側を前面側又は前方、その反対側を背面側又は後方とする。
【００１２】
まず、椅子１の各構成について、図面を参照して説明する。
図１に示すように、椅子１は、前脚部１１と後脚部１３とからなる脚フレーム部１０と、手摺部１５と、背凭れフレーム部２１と座面フレーム部２３とからなる本体フレーム部２０と、本体フレーム部２０に張られたシート部２７とから構成されている。本体フレーム部２０は、マッサージ機３の幅、高さ及び奥行きにちょうど合う大きさに形成されている。また、本体フレーム部２０に張られたシート部２７は、適度な強度と弾力性を備えたメッシュ素材からなり、シート部２７をフラットな面とすることにより、マッサージ機３の破損や故障を防ぐとともに、後述する下揉み玉４２が患部に加える力が弱まることを防いでいる。
【００１３】
椅子１は、リクライニング機能を有し、手摺部１５の下面には、その長手方向に沿って長穴１７（図２（ａ）参照）が形成されており、長穴１７の底部（図１においては上方となる面）には、脚フレーム部１０上端の突起部ａを引っ掛けることができる７つの係止穴１９が設けられている。背凭れフレーム部２１は、座面フレーム部２３及び手摺部１５と、本体回動軸２５及び回動軸ｂによりそれぞれ回動可能に連結されている。突起部ａを引っ掛ける係止穴１９の位置を変えることにより、背凭れフレーム部２１の、座面フレーム部２３に対する傾斜角度を変化させることができ、例えば、その傾斜角度は略１００度〜略１４０度の間で調節できるように構成されている。なお、座面フレーム部２３は略水平であるが、後方に向かって僅かに下方に傾斜しており、使用者がゆったりと座れるようになっている。
【００１４】
前脚部１１と後脚部１３、前脚部１１と座面フレーム部２３、後脚部１３と本体回動軸２５とは、回動軸ｃ、回動軸ｄ、折畳用金具ｅ等によりそれぞれ回動可能に連結されており、図２（ａ）に示すように、マッサージ機３を外した椅子１はコンパクトに折り畳むことができ、収納する際に場所を取らない。また、脚フレーム部１０、手摺部１５及び本体フレーム部２０は、主として軽量な金属素材（例えば、軽量アルミ合金）からなり、シート部２７は上述したようにメッシュ素材のシート状部材であるので、容易に持ち運ぶことができる。
【００１５】
次に、マッサージ機３について、図面を参照して説明する。
マッサージ機３は、使用者の臀部を保持する座部３０と、使用者の背部を保持する背凭れ部４０と、使用者の頭部を保持するピロー部５０と、背凭れ部４０の下端部と座部３０の後端部を繋ぐ繋ぎ部３３と、ピロー部５０を背凭れ部４０の上面側上方に支持する支持部材３５と、背凭れ部４０の前後に着脱可能に取り付けられる背シート部材３７（図１においては背面側に取り付けられている）とからなる。
【００１６】
次に、マッサージ機３の各構成について説明する。
マッサージ機３の座部３０は略等脚台形形状であり、内部に振動機構などを有する。本実施例においては、３段階の強さ調節可能なバイブレーター機能を有する部材（図示せず）が搭載されており、振動により血流を促進し、大腿部から臀部の筋肉のコリをほぐすことができる。なお、正面視において、座部３０の左側縁部には、各揉み玉を制御するためのリモコンを収納するリモコンポケットＰ（図２（ｂ）参照）が設けられている。
【００１７】
マッサージ機３の繋ぎ部３３は、柔軟性を有する素材（例えば、合成皮革や布など）からなる略矩形のシート状であり、背凭れ部４０の下端部と座部３０の後端部とを遊びを設けた状態で繋いでいる。よって、図１に示すように、マッサージ機３を椅子１に設置した際には、少し撓んだような状態となる。繋ぎ部３３を設けたことにより、図３に示すように、使用者は必要に応じて座部３０と椅子１の座面との間にクッション等の高さ調節部材Ｃを差し込んで、座面を所望の高さに調節することができる。
【００１８】
また、マッサージ機３は、上述の繋ぎ部３３を有することにより、コンパクトに折り畳んで収納することができる。具体的には、図２（ｂ）に示すように、背シート部材３７を背凭れ部４０前面側に取り付けて、それを挟み込むように座部３０を背凭れ部４０前面側に屈曲させる。なお、詳細は後述するが、ピロー部５０も背凭れ部４０に近づけるように折り畳むことができる。
【００１９】
マッサージ機３の背凭れ部４０は、略矩形状であり、その中央部分には縦中心線に対して線対称に、上下動可能な２つの下マッサージ手段４１を内蔵している。下マッサージ手段４１は、それぞれ、背凭れ部４０の前面側からその一部が突出するように設けられた２つの下揉み玉４２を有している。下マッサージ手段４１は、背凭れ部４０の内部において、上端部から下端部に掛けて左右並行するように形成されたレール部材に噛合する歯車（図示せず）によって、上下方向に移動自在に設けられている。よって、使用者はリモコンを操作することにより、背中のコリが溜まっている患部の位置に下揉み玉４２の位置を合わせて所望の箇所のみを集中的に揉みほぐしたり、背中の上下の全範囲又は一部範囲に移動させて広い範囲を押し伸ばしてほぐしたりすることができる。また、下マッサージ手段４１は、後述する３次元動作機構により、間隔幅の調節が可能であるので、下揉み玉４２の位置を、使用者の体型や患部の位置に合うように調節することができる。
【００２０】
背凭れ部４０の下マッサージ手段４１には、下揉み玉４２の先端部の３次元的な動きを可能とする３次元動作機構が搭載されている。ここで、３次元動作機構について、図面を参照して説明する。
図４は、下マッサージ手段４１の概略を説明するための正面図である。なお、図４において、背凭れ部４０は、便宜上省略している。
図４に示すように、下マッサージ手段４１は、図示しない駆動手段を有する略直方体形状の本体部４１ａと、本体部４１ａの駆動手段により回転する円筒カム４１ｂと、円筒カム４１ｂの回転動作により揺動する揺動部材４１ｃと、揺動部材４１ｃの動き（回転）を規制する動作規制部材４１ｄとを、３次元動作機構として有している。
【００２１】
本体部４１ａは、上述したレール部材に上下移動可能に取り付けられ、円筒カム４１ｂは、本体部４１ａの前面から前方に突出するように設けられた中心軸を回転軸としている。動作規制部材４１ｄは、本体部４１ａから前方に突出する略矩形状の部材であり、その中央に前後方向（円筒カム４１ｂの中心軸と平行）に延びる長孔である動作規制孔Ｍが設けられている。
【００２２】
揺動部材４１ｃは、正面視略二等辺三角形状の部材であり、略中央部分には円筒カム４１ｂに嵌め込むための貫通孔Ｑが形成され、貫通孔Ｑ内面からは円筒カム４１ｂのカム溝に係合する従動凸部（図示せず）が突設されている。また、揺動部材４１ｃは、その頂角部分から外方へ突出するように形成された緩嵌凸部Ｎと、その両底角部分に前方に突出するように配設された略半球形状の下揉み玉４２とを有する。
【００２３】
円筒カム４１ｂが回転すると、動作規制部材４１ｄの動作規制により緩嵌凸部Ｎが支点となり、下揉み玉４２は、前後方向に波打つように３次元に揺動する。よって、２つの下揉み玉４２は互いの突出高さを異にするように、上下方向、左右方向及び前後方向に移動し、使用者のコリが溜まっている筋繊維を人の手指のような動きで揉みほぐすことができる。また、上述したように下マッサージ手段４１自体を上下移動させつつ、下揉み玉４２を３次元動作させることができるので、集中して患部を揉みほぐすだけでなく、背中全体の血流が改善するようにマッサージすることも可能である。さらに、下揉み玉４２はヒーター機能（後述する上揉み玉８６と同様）も有しており、患部を温めることができる。
【００２４】
マッサージ機３の外装は主として、汚れにくい合成皮革からなるが、背凭れ部４０の前面側の下揉み玉４２が移動する背凭れ中央部４３は強度と弾力性を有するメッシュ素材からなる。背凭れ中央部４３をメッシュ素材とすることにより、下揉み玉４２の動きを妨げることがない。また、ヒーター機能を動作させた際に下揉み玉４２から発せられる熱で効率的に患部を温めるとともに、背凭れ部４０内部に熱がこもるのを防ぐことができる。また、背凭れ部４０の背面側は、椅子１のシート部２７に滑ることなく保持されるように合成繊維からなる。なお、座部３０の背面側（下面側）も合成繊維からなる。
【００２５】
背凭れ部４０の上面には、ピロー部５０を支持する支持部材３５の下端部を嵌め入れるための嵌入穴４６を有する係止具４５が左右２箇所に取り付けられている。ここで、支持部材３５は、略円柱状の部材であり、その前面側には縦方向に複数の凹状の係止凹部３６が形成されている（図７参照）。係止具４５は、この係止凹部３６と係合する係止凸部（図示せず）を有し、係止具４５の後方の高さ調節ボタンを押すことにより係合状態を解除して、支持部材３５の突出長さを調節できる構成となっている。これにより、使用者は、ピロー部５０を所望の高さに調節することができる。なお、本実施例においては、支持部材３５に４つの係止凹部３６が、略３ｃｍの長さに亘り等間隔に設けられているが、ピロー部５０の上下調節可能高さやその間隔がこれに限られないのは勿論である。
【００２６】
２つの係止具４５の間には、後述する背シート部材３７を着脱可能に取り付けることができるように、背シート部材取付部４７としての面ファスナーが縫い付けられている。また、片方の係止具４５の横（正面視において背凭れ部４０の上面の左端側）には引出孔４８が設けられており、ピロー部５０の上揉み玉動作機構６０（図７参照）を電気的に接続するためのケーブルＥ（図３参照）が引き出されている。
【００２７】
背凭れ部４０の両側縁の略中央部には、ベルト部材４４がそれぞれその一端側を縫い込むようにして取り付けられている。ベルト部材４４は、伸縮性を有する帯状の部材であり、背凭れフレーム部２１に掛け回した際に対向する他端側の対面部にはそれぞれ面ファスナーが縫い付けられている。椅子１の前面側に置かれたマッサージ機３は、図１に示すように、ベルト部材４４を背凭れフレーム部２１背面側に掛け回して面ファスナーで止めるだけで簡単に固定することができ、椅子１への取り付け・取り外しが容易である。なお、マッサージ機３を折り畳んで収納する際には、図２（ｂ）に示すように、このベルト部材４４を座部３０の後面側に回し止めることで折り畳んだ状態を保持させることができる。
【００２８】
マッサージ機３の背シート部材３７は、背凭れ部４０の前面の背凭れ中央部４３よりも一回り大きい柔軟性を有する略矩形のシート状部材である。背シート部材３７の上部は、上縁部に向かい徐々に幅が狭くなり、上縁部は背凭れ部４０上面の係止具４５と係止具４５の間にちょうど差し入れられる大きさとなるように形成されている。また、上縁部には上述した背凭れ部４０上面の面ファスナー（背シート部材取付部４７）と対面するように、面ファスナーが縫い付けられており、背シート部材３７は背凭れ部４０の前面側からも背面側からも取り付けることができるようになっている。背シート部材３７は、図１に示すように、通常はマッサージ機３の背面側に収納しておくが、例えば、背凭れ部４０の下揉み玉４２の揉み加減が強く感じる場合には、背凭れ部４０前面側に取り付けてその強さを減ずることができる。また、マッサージ機３を椅子１から取り外して収納する場合にも、図２（ｂ）に示すように背凭れ部４０前面側に取り付けて、座部３０との間に挟む込むことができる。
【００２９】
図５は、ピロー部５０を説明するための拡大正面図であり、図６はピロー部５０の角度調節機能について説明するための斜視図であり、（ａ）は前傾させる前の状態、（ｂ）は少し前傾させた状態、（ｃ）は前傾角度を最大にした状態を示す。マッサージ機３のピロー部５０は、上述したように、支持部材３５により背凭れ部４０の上方に支持される。
ピロー部５０は、図５に示すように、正面視において、略矩形状の枕本体部５１と、その前面側に取り付けられる略矩形のシート状の保護シート部５３と、枕本体部５１及び保護シート部５３の前面側の開口部５４にオープンファスナー（スライドファスナー）Ｆにより取り外し可能に取り付けられる上揉み玉カバー部５５を有する。上述したように、ピロー部５０は、支持部材３５及び係止具４５により上下位置が調節可能であるが、前傾角度も調節可能に保持できるように構成されている。
【００３０】
枕本体部５１は、略直方体形状をしており、前面側から前方に突出するように設けられる左右２つの上揉み玉８６を動作させるための上揉み玉動作機構６０と、ピロー部５０を前傾させた状態で保持するための角度調節機構９０とが内蔵されているが、その詳細については後述する。枕本体部５１の下面には、上述の２つの支持部材３５の上端側を差し込むための差込孔５２が設けられている。なお、この差込孔５２は、ピロー部５０を前傾させることができるように、その厚さ方向に延びる長穴となっており、後述する本体ケース９５の溝９７（図７参照）に対応する位置に設けられている。また、背凭れ部４０上面の引出孔４８から引き出されたケーブルＥは、正面視左側の差込孔５２を利用して、枕本体部５１の上揉み玉動作機構６０に接続されている。
【００３１】
シート状の保護シート部５３は、その上端部が枕本体部５１の前面上縁部に縫い込まれ、枕本体部５１の前面側を覆うように取り付けられている。保護シート部５３及び枕本体部５１の前面上側中央部分には、連通するように切り欠かれた開口部５４が設けられている。開口部５４の周縁には、オープンファスナーＦのテープの一片側が、保護シート部５３及び枕本体部５１に縫い付けられている。保護シート部５３の下側は、図６に示すように、枕本体部５１から離れ前方へ移動可能となっており、ピロー部５０の前傾角度・上下位置を調節する際に、使用者の後頭部などを保護し、例えば、使用者の髪の毛が支持部材３５などに挟まったりするのを防ぐ。
【００３２】
上揉み玉カバー部５５には、枕本体部５１前面から前方に突出する２つの上揉み玉８６に対応するように、２つの山状の凸部５６が形成されている。上揉み玉カバー部５５の素材は、背凭れ部４０の背凭れ中央部４３と同様のメッシュ素材を縫合したものである。上揉み玉カバー部５５の周縁には、オープンファスナーＦのテープの他片側が縫い付けられており、上揉み玉カバー部５５はピロー部５０に着脱可能に取り付けられる。使用者の後頭部や首などに直接当たる部分であるので、取り外して洗濯することが可能となっている。なお、上揉み玉カバー部５５を取り外した際に、内蔵されている上揉み玉動作機構６０などがむき出しになるのを防ぐために、上揉み玉カバー部５５と二重になるように、少し大きめの布カバー（図示せず）が開口部５４を覆うように縫い込まれている。
【００３３】
ピロー部５０は、角度調節機構９０（詳細は後述）により前傾させ、その状態を保持することができる。本実施例においては、図６（ａ）に示す前傾前の状態から前傾させる角度を５段階に調節することができ、図６（ｂ）は２段階前傾させた状態を示し、最大前傾角度は、図６（ｃ）に示すように略９０度となるように構成されている。ピロー部５０を前傾角度調節可能とすることにより、後頭部、首筋から肩の所望の位置に上揉み玉８６を当てることができる。具体的には、ピロー部５０を前傾させない状態においては、後頭部の頭を支える筋肉（後頭筋など）に当てることができ、前傾させることにより首筋に沿うように上揉み玉８６を移動させて、その先端部を当てたり、内側側面により首筋を摘むように揉みほぐしたりすることができる。また、前傾角度を大きくすると首の付け根部分や肩の上面側に当てることができ、略直角となる位置まで曲げた際には、肩の上面側に上方から上揉み玉８６を当てることができる。このように、ピロー部５０を前傾させて、上揉み玉８６を後頭部から首、肩への鉛直方向の湾曲（カーブ）に略合うように円弧状に移動させることができる。後述するように上揉み玉８６の先端部は、回転移動するので、その回転軸を肩上面に対して垂直になるように当てることで、肩のコリを効果的に揉みほぐすことができる。
【００３４】
次に、枕本体部５１に内蔵されている上揉み玉動作機構６０及び角度調節機構９０について、図面を参照して説明する。
図７は、ピロー部５０の枕本体部５１に内蔵されている部材を示す分解斜視図である。図８は、ピロー部５０に内蔵される傾斜偏心板８２を示す説明図であり、（ａ）は斜視図、（ｂ）は前方から視認した状態における正面図、（ｃ）は拡大背面図である。なお、図７は、枕本体部５１の前面側が図面の上側となるように示されている。また、図８においては、便宜上、取付部８４の内部を省略している。
枕本体部５１には、図７に示すように、２つの上揉み玉８６を動作させる上揉み玉動作機構６０と、支持部材３５の上端側に配設される角度調節機構９０と、これらが組み入れられる本体ケース９５とが内蔵されている。
【００３５】
まず、上揉み玉動作機構６０について説明する。
上揉み玉動作機構６０は、上揉み玉８６の駆動源である駆動部６１と、駆動部６１の動力を伝える２つの伝達部６５と、各伝達部６５により伝達された動力で動作する２つの上揉み玉部８１と、駆動部６１及び伝達部６５を所定位置に収納するとともに、その前面側（図７においては上面側）に上揉み玉部８１を回転可能に支持する収納部７１とを備えている。
【００３６】
駆動部６１は、ケーブルＥ（図５参照）に接続されるモータ６２と、モータ６２の駆動軸６３と、駆動軸６３の動きを左右の伝達部６５に伝達するウォーム６４とを有する。
伝達部６５は、ウォーム６４により伝達される動力の回転軸方向を９０度変えるとともに変速するためのギア部６６と、ギア部６６により伝達された動力により回転する作動軸６９とを有する。ギア部６６は、互いに噛合する平歯車である第１ギア６７及び第２ギア６８からなり、第１ギア６７はウォーム６４と噛合する。作動軸６９の基端側は第２ギア６８の中心部に固定され、第２ギア６８の回転軸となっている。なお、後述するヒーター機構もケーブルＥに接続されている。
【００３７】
収納部７１は略直方体形状の筐体であり、背面（図７において下面）が開口した箱状の前ギアケース７２と、前面（図７において上面）が開口した箱状の後ギアケース７３とを有する。前ギアケース７２及び後ギアケース７３には、上述した駆動部６１及び伝達部６５の各部材を収納するために、隔壁等で区画された複数の収容空間が設けられており、それぞれを所定の収容位置に収納することで位置決めする。また、前ギアケース７２の前面上側（図７においては、右上側）には、作動軸６９の先端側を突出させるための貫通孔Ｈが２つ形成されている。
【００３８】
前ギアケース７２の前面側に取り付けられる上揉み玉部（上マッサージ手段）８１は、作動軸６９に固定される傾斜偏心板８２と、傾斜偏心板８２に固定される弾性部材８５と、上揉み玉８６とを備えており、上揉み玉８６は、弾性部材８５に固定される上揉み玉本体部８７と上揉み玉本体部８７の前方側をカバーする上揉み玉先端部８８とを有する。
傾斜偏心板８２は樹脂製であり、図８に示すように、前ギアケース７２から突出している作動軸６９の先端に固定される台座部８３と、台座部８３の前面から突出するように形成され、弾性部材８５が取り付けられる取付部８４とを有する。
【００３９】
台座部８３は前面（以下、適宜、傾斜面Ｓという）が傾斜した略円柱形状、取付部８４は略円筒形状であり、取付部８４は傾斜面Ｓから前方に突出するように形成されている。後述する弾性部材８５、上揉み玉本体部８７及び上揉み玉先端部８８は、この取付部８４の中心線と、各中心線が同一直線上にくるように配設される。なお、この傾斜偏心板８２の形状など詳細については後述する。
【００４０】
弾性部材８５は金属製のコイルバネであり、上揉み玉８６をフレキシブルに支持する。
上揉み玉本体部８７は外壁部分が樹脂製部材からなる略円筒状の部材であり、内部にヒーター機構（図示せず）を備えている。ヒーター機構は、上揉み玉８６にヒーター機能をもたせるために、加熱部材（例えば、赤外線電球など）を内部に保持する。上揉み玉先端部８８は中空半球形状の樹脂材であり、上揉み玉本体部８７の前方に取り付けることで、上揉み玉８６は先端側が半球面状の円筒形状となる。
【００４１】
上述のように構成した上揉み玉動作機構６０により、回転動作する上揉み玉８６は、その先端が円を描くように動くので、様々な向きの筋肉を効果的に揉みほぐすことができる。また、その内側側面部を利用して、首筋の筋肉を摘むように揉みほぐすこともできる。上揉み玉８６は、弾性部材８５により固定されているので患部への当たりを柔らかいものとすることができ、ヒーター機能を用いれば患部を温めながら揉みほぐすことができる。
【００４２】
次に、角度調節機構９０について説明する。
角度調節機構９０は、支持部材３５に本体ケース９５を回動可能に取り付けるための支持金具であるケース支持部９１と、本体ケース９５（ピロー部５０）を前傾させた状態で保持可能とするための前傾保持部９４とからなる。ケース支持部９１は、ケース支持部材９２と連結軸９３からなり、ケース支持部材９２の基端側が支持部材３５の先端側に、連結軸９３により回動可能に軸支され、先端側は上述した収納部７１内に固定される。また、前傾保持部９４は、片側の支持部材３５及びケース支持部９１の連結部分に組み込まれたラチェット機構であり、本実施例においては、５段階に前傾させることができるものを使用している（以下、適宜、前傾保持部９４を角度調節部９４という）。
【００４３】
次に、本体ケース９５について説明する。
本体ケース９５は、枕本体部５１の骨格を形成する略直方体形状の樹脂製部材であり、その前面側に形成された正面視略矩形状の凹状の収納空間９６と、この収納空間９６から下方（図７においては、左斜め下方向）に向かって形成された２つの並行する溝９７とを有する。収納空間９６には、上揉み玉動作機構６０等を収容した収納部７１が嵌め込まれて固定され、溝９７には角度調節機構９０の基端側（支持部材３５とケース支持部材９２の連結部分）が嵌め込まれる。このような構成とすることにより、ピロー部５０を角度調節可能に前傾させることができる。
【００４４】
ここで、図８を参照して、傾斜偏心板８２の形状について詳細に説明する。
図８に示すように、取付部８４は、傾斜面Ｓに対して略垂直方向に突出するように形成されている。そのため、図８（ｃ）に示すように、台座部８３の中心線Ｘと取付部８４の中心線Ｙは平行ではなく、その交角θは傾斜面Ｓの傾斜角度ｓと同じ角度となる。そして、傾斜偏心板８２は、台座部８３の中心線Ｘが作動軸６９の中心線と一致するように固定される一方、弾性部材８５及び上揉み玉８６は、その中心線が、取付部８４の中心線Ｙと同一直線上にくるように配設される。このような構成とすることにより、傾斜偏心板８２が回転すると、上揉み玉先端部８８（上揉み玉８６）が円を描くように動く。また、傾斜面Ｓから垂直に取付部８４を突出させることにより、弾性部材８５がどの方向に変形しても上揉み玉本体部８７（上揉み玉８６）の下縁部が傾斜面Ｓにぶつかる虞が少なくなっている。
【００４５】
さらに、取付部８４は、台座部８３の中心点Ｏから傾斜面Ｓの下方に逸れた位置に、形成されている。このような構成とすることにより、先端の上揉み玉先端部８８（上揉み玉８６）が描く円の径を大きくなる。台座部８３の大きさなどに制限されることなく、上揉み玉先端部８８が描く円の径の大きさを調整することができる。
【００４６】
傾斜偏心板８２の傾斜面Ｓの傾斜角度ｓ（交角θ）は１度から８９度までのいずれかの角度とすることができるが、好ましくは１度から４５度までであり、さらに好ましくは１度から３０度までである。傾斜角度を大きくすることにより、先端の上揉み玉先端部８８が回転して描く円の径をより大きくすることができる。ただし、傾斜角度が大きくなるにつれ、弾性部材８５を屈曲させる方向に力が掛かり、破損する虞も大きくなる。なお、上揉み玉８６の描く円の径の大きさは、傾斜角度ｓ（交角θ）だけでなく、台座部８３の形状（高さなど）、取付部８４と中心点Ｏとの距離、台座部８３の傾斜面Ｓと上揉み玉８６先端との距離なども関係する。なお、本実施例においては、後述するように、後頭部や首筋や肩上面の各部を効果的に揉みほぐすのに最適な構成としている。
【００４７】
本実施例においては、台座部８３の最も厚い部分の高さが略２０ｍｍであり、その径を略５０ｍｍ、傾斜面Ｓの傾斜角度ｓを略１５度としている。取付部８４は、その中心が傾斜面Ｓの中心点Ｏから略５ｍｍずれている。また、台座部８３の傾斜面Ｓから上揉み玉先端部８８の先端までの長さは略８０ｍｍであり、上揉み玉先端部８８は略４０ｍｍの径の円を描く。上揉み玉８６自体の径は略５０ｍｍであり、患部に当てられた際に略９０ｍｍの径の円を描くようにして揉みほぐす。また、作動軸６９の間隔は略１２０ｍｍとなっており、２つの上揉み玉８６の最小間隔は略３０ｍｍ、最大間隔は略２２０ｍｍとなるように構成されている。
なお、上揉み玉先端部８８が患部に当てられた際に描く円の大きさは、例えば、略１０ｍｍ〜略６０ｍｍ（好ましくは、略２０ｍｍ〜５０ｍｍ）であってもよく、作動軸６９の間隔も略１００ｍｍ〜１４０ｍｍの間であればよく、肩上面の筋肉を効果的に揉みほぐせれば図示した実施例に限られないのは勿論である。
【００４８】
上述のような構成にすることにより、ピロー部５０（上揉み玉８６）を略９０度まで前傾させた際に、肩上面の首の付け根側のコリが溜まりやすい筋肉を上方から効果的に揉みほぐすことができる。また、ピロー部５０（上揉み玉８６）を前傾させない状態又は少し前傾させた状態においては、後頭部又は首筋の筋肉を揉みほぐすことができる。
【００４９】
また、本実施例においては、上揉み玉８６の高さを略８０ｍｍ〜略９０ｍｍとし、その傾斜角度（交角θ）を略１５度とすることにより、ピロー部５０を首筋に当たるように前傾させた際に、両上揉み玉８６の間に首筋の後部が入るので、これを摘むようにして揉みほぐすことができる。また、傾斜している上揉み玉８６の回転動作により、必要以上に首筋が入り込むのを防ぐことができる。
なお、上揉み玉８６の側面（上揉み玉本体部８７）の高さは、例えば、略６０ｍｍ〜略１００ｍｍのいずれかであってもよく、その傾斜角度（交角θ）も略１０度〜３０度の間であれば好ましいが、これに限らず、首筋を効果的に揉みほぐせるような構成であればよい。
【００５０】
このようにマッサージ機３によれば、ピロー部５０は、所定の間隔で配設されている上揉み玉８６を回転動作させる動作機構を有し、上揉み玉８６は、先端が球面状の円筒形状であり、ピロー部５０の前面から斜めに突出するように構成されているため、上揉み玉８６の先端部は使用者の後頭部や首筋や肩を押しながら回転し、上揉み玉８６の先端部の側面側は使用者の首筋を摘むように回転する。また、ピロー部５０を深く前傾させることにより、上揉み玉８６の先端を肩上面に上方から当てることができる。よって、後頭部から肩上面の各部分の筋肉を効果的に揉みほぐすことができる。
【００５１】
次に、マッサージ機を備えた椅子Ａの使用方法について簡単に説明する。
使用者は、所望の角度にリクライニングさせた椅子１に座り、リモコンを用いて座部３０の振動機構、背凭れ部４０の下揉み玉４２及びピロー部５０の上揉み玉８６の位置や動き、ヒーター機能などを操作することができる。使用者は、肩上面から後頭部までのコリが溜まっている箇所に上揉み玉８６が当たるように、ピロー部５０を所望の角度に前傾させる。なお、角度調節機構９０はラチェット機構であり、前傾角度を変更する際にはピロー部５０を大きく前傾させることにより係止状態を解除し、背凭れ部４０の立ち上がり方向にあうように立ち上げた後に、所望の角度となるように調節することができる。また、身長が低く上揉み玉８６の位置が合わない場合や力加減を強くしたい場合ときには、座部３０の下又は／及び座部３０の上にクッションなどの高さ調節部材Ｃを入れて調節することができる。
【００５２】
図９は、マッサージ機を備えた椅子Ａの使用状態を示す一部拡大斜視図である。なお、図９は、マッサージ機を備えた椅子Ａの主要構成を図示した概略図としている。
上述したように、上揉み玉部（上マッサージ手段）８１はピロー部５０の上側に配設されており、突出している両上揉み玉８６の間には空間が設けられている（図７等参照）。そのため、背凭れ部４０（椅子１の背凭れフレーム部２１）を立てた状態でピロー部５０を少し前傾させた際には、この空間に使用者は後頭部又は／及び首の後部を入れることができる（図示せず）が、深く前傾させた際には枕本体部５１の上面前端部が後頭部に当たるため、使用者は、図９に示すように少しあごを引いてうつむく必要がある。なお、背凭れ部４０（椅子１の背凭れフレーム部２１）を後傾させて使用する場合には、ピロー部５０の上面前端部に後頭部を凭せることができる（図示せず）ので、肩や首の力を抜いた状態で肩上面を揉みほぐすことができる。
【００５３】
なお、上揉み玉８６を使用しない場合には、ピロー部５０の位置を上げてその下側で頭部を支えるようにすることができる。また、マッサージ機３は椅子１から取り外すこともできるので、それぞれを単体使用することも可能である。例えば、マッサージ機３はソファーなどの上において使用することもできる。
収納する際には、それぞれコンパクトに折り畳めるので、置き場所も小さくて済み、家具の隙間などを利用して収納することができる。
【００５４】
本発明の実施例１のマッサージ機を備えた椅子Ａによれば、背中を揉みほぐす下マッサージ手段４１だけでなく、肩上面や首筋等を揉みほぐす上マッサージ手段８１を備えているので、それぞれをその部位に適した構成とすることができる。また、上マッサージ手段８１を備えたピロー部５０を、下マッサージ手段４１を備えた背凭れ部４０と別体とすることにより、ピロー部５０を深く前傾させることができ、肩上面の筋肉を上方から揉みほぐすことができる。さらに、背凭れ部４０がピロー部５０及び座部３０と別体であるので、下マッサージ手段４１（下揉み玉４２）の上下動の範囲を背凭れ部４０の上下幅ギリギリまで設けることができ、背中から腰までの広範囲を揉みほぐすことができる。
【００５５】
椅子１はリクライニング機能を有しているので、背凭れフレーム部２１の傾斜角度を変えることにより、自身の重みを利用して揉み玉の力加減を調節することができる。椅子１のリクライニング機能、マッサージ機３のピロー部５０の高さ調節機能及び角度調節機能は手動で段階的に調節することができるので、容易に同じ位置に設定することができる。身体のコリは、個々の姿勢や癖などにより決まった箇所にでる場合が多いが、一度自分に合う設定位置がわかれば、揉み玉の位置のみをリモコン操作により調節することで同じ箇所を揉みほぐすことができる。
【００５６】
マッサージ機を備えた椅子Ａは軽量で場所を取らないので、容易に設置、収納することができる。また、効果的に身体の各部分を揉みほぐすことができるにもかかわらず、簡単な構成であるので経済的な価格で消費者に提供することができる。
【００５７】
なお、マッサージ機を備えた椅子Ａ、椅子１及びマッサージ機３の各部材の形状、大きさ、構成等は上述した実施の形態に限定されず、前傾可能なピロー部５０を備え、肩の上面側を略上方から効果的に揉みほぐすことができればよく、本発明の要旨を逸脱しない範囲で種々変更できることは勿論である。また、「揉みほぐす」とは、使用者の身体に物理的な刺激を加えることであり、上述したような上揉み玉８６の回転動作などに限らず、例えば、回動動作、往復動作、突出方向における往復移動、振動などの様々な動作により使用者の身体に刺激を加えてほぐすことをいう。椅子１やマッサージ機３の一部又は全部を一体としたり、椅子１やマッサージ機３の一部を分割した構成とすることもできる。例えば、椅子１のような通常の椅子（リクライニング機能を有無を問わない）自体に嵌入穴４６や係止具４５を設けて、ピロー部５０を支持部材３５により前傾可能に支持させてもよい。さらに、その椅子に、座部３１又は／及び背凭れ部４０を一体的に組み込む込んだ構成とすることも可能である。
【００５８】
上述した実施例においては、左右の各支持部材３５に係止具４５を備えた構成としているが、係止具４５をどちらか片方のみとして、ピロー部５０の上下位置を調節可能としてもよい。また、ピロー部５０の前傾角度及び上下位置調節を手動にて行うようにしているが、リモコン操作により調節可能な構成とすることができるのは勿論であり、その際に検知センサなどを用いて自動で行うようにしてもよい。
また、座部３０の高さ調節についても、例えば、座部３０と背凭れ部４０とを別体とし、互いに嵌合するギアなどを利用するなどして、背凭れ部４０が座部３０に対して上下移動可能な構成とすることもできる。
【実施例２】
【００５９】
次に、実施例２のマッサージ機を備えた椅子Ｂについて図面を参照して説明する。
図１０は、マッサージ機を備えた椅子Ｂのピロー部５０ｂを説明するための一部拡大正面図であり、図１１は、マッサージ機を備えた椅子Ｂのピロー部５０ｂを説明するための一部拡大斜視図である。図１２は、マッサージ機を備えた椅子Ｂの使用状態を示す一部拡大斜視図である。なお、図１２は、マッサージ機を備えた椅子Ｂの主要構成を図示した概略図としている。図１３は、マッサージ機を備えた椅子Ｂの繋ぎ部３３ｂを説明するための一部拡大斜視図である。図１０〜図１３に示すように、マッサージ機を備えた椅子Ｂは、実施例１のマッサージ機を備えた椅子Ａと、マッサージ機３のピロー部５０の形状及び構成、繋ぎ部３３の形状及び構成等が異なる。
【００６０】
実施例２のマッサージ機３ｂ（マッサージ機を備えた椅子Ｂ）の第一の特徴部分は、ピロー部５０ｂの上面中央部に切欠部Ｕ（図１０参照）が形成されていることである。切欠部Ｕは、ピロー部５０ｂを前傾させた際に、使用者が後頭部又は／及び首の後部を差し入れる空間を確保するために設けられたものである。また、実施例２のマッサージ機３ｂ（マッサージ機を備えた椅子Ｂ）の第二の特徴部分は、繋ぎ部３３ｂ（図１３参照）に係止部材Ｋを設けて、背凭れ部４０に座部３０を着脱自在となるように構成したことである。
以下、実施例１のマッサージ機を備えた椅子Ａと異なる部分を図示して説明し、同様又は略同様の構成等については実施例１と同様又は略同様の符号、名称を付す等して重複する説明及び図示は省略する。なお、マッサージ機を備えた椅子Ｂの構成の概要と第一の特徴部分（ピロー部５０ｂ）について説明したのちに、第二の特徴部分（繋ぎ部３３ｂ）について説明する。
【００６１】
マッサージ機を備えた椅子Ｂは、図１０〜図１２に示すように、マッサージ機３ｂと、これが取り外し可能に前面側に設置される折り畳み収納可能な椅子１とからなる。そして、マッサージ機３ｂは、使用者の臀部を保持する座部３０と、使用者の背部を保持する背凭れ部４０と、使用者の頭部を保持するピロー部５０ｂと、背凭れ部４０の下端部と座部３０の後端部を繋ぐ繋ぎ部３３ｂと、ピロー部５０ｂを背凭れ部４０の上面側上方に支持する支持部材３５と、背凭れ部４０の前後に着脱可能に取り付けられる背シート部材３７とからなる。なお、図１０〜図１２においては、座部３０及び繋ぎ部３３ｂ等の図示を省略し、図１３においては、ピロー部５０ｂ、支持部材３５及び繋ぎ部３３ｂ等の図示を省略している。
【００６２】
第一の特徴部分であるピロー部５０ｂは、図１０に示すように、正面視において、上側中央部に切欠部Ｕが形成された略矩形状の本体部５７と、略短筒形状の保護カバー部５９とからなり、保護カバー部５９の上端部は本体部５７の背面及び下面に縫い付けられている。また、本体部５７は、ピロー部５０ｂの骨格を形成する本体ケース部９５ｂと、これに収納される上揉み玉動作機構６０ｂ（図示せず）及び角度調節機構９０（図示せず）と、これら全体を覆うカバー部５８とから構成されている。図１１に示すように、ピロー部５０ｂは、実施例１のピロー部５０と同様、支持部材３５及び係止具４５ｂにより背凭れ部４０に対する上下位置が調節可能であり、また、角度調節機構９０により背凭れ部４０に対する前傾角度も調節可能に保持できるように構成されている。
【００６３】
本体ケース部９５ｂは、図１０に示すように実施例１の本体ケース部９５と異なり、前傾させない状態における上面の中央部に切欠部Ｕが形成された、外形が略直方体形状の筐体である。この切欠部Ｕは、横断面が略Ｕ字状の、前面から後面に貫通する溝状の空間であり、これにより、実施例１のピロー部５０と本実施例のピロー部５０ｂとは、その外形が大きく異なるものとなっている。切欠部Ｕの切欠深さｉは、図１２に示すように、背凭れ部４０（椅子１の背凭れフレーム部２１）を立てた状態でピロー部５０ｂを深く前傾させても、使用者がうつむこことなく前方（例えば、テレビ画面のある方向など）を向いた状態で首筋の付け根や肩上面を揉みほぐすことができるような大きさとなっている。また、切欠部Ｕの底面部分は略平面状に形成されており、上方に向かってなだらかに切欠幅（横幅）ｊが広くなるように形成され、使用者が切欠部Ｕの内壁面（底面等）に後頭部又は／及び首の後部を保持させて肩上面等を揉みほぐしながら、所望の方向（例えば、家族のいる方向など）に顔を向けるなど適宜頭を左右に動かすことができるような大きさとなっている。
【００６４】
本体ケース部９５ｂに収納される上揉み玉動作機構６０ｂ（図示せず）は、一対の上揉み玉８６ｂを、実施例１のようなピロー部５０の上部ではなく、図１０に示すように、切欠部Ｕの切り込みの下端部（底面）よりも鉛直方向下方に位置するように、かつ、切欠部Ｕの縦中心線に対して線対称に位置するように、本体ケース部９５ｂに収納されている。また、一対の上揉み玉８６ｂは、実施例１同様、ピロー部５０ｂの前面から略前方に大きく突出するように設けられているが、実施例１の上揉み玉８６よりも突出量（例えば、上揉み玉本体部８７の高さ）が小さくなっている。このような上揉み玉８６ｂの位置等の変更は、上述の切欠部Ｕを設けたことによるものである。
【００６５】
カバー部５８は、上揉み玉動作機構６０ｂ等を収納した本体ケース部９５ｂにフィットするような形状や大きさとなるようにシート状の部材を縫合して、一体的に構成されている。具体的には、背面側と側面側と前面側の水平方向における中央部分には合成皮革が使用され、前面側の他の部分（上揉み玉８６ｂに対応する部分など）には上述したメッシュ素材が使用されている。このように、カバー部５８は、耐久性を有するとともに、２つの上揉み玉８６ｂの動きを妨げないような構成となっている。
【００６６】
保護カバー部５９は、短い略円筒状の、柔軟性を有する合成皮革であり、図１１に示すようにその内部に支持部材３５及びケーブルＥを囲うことにより、実施例１の保護シート部５３と同様の役割を担うものである。つまり、ピロー部５０ｂの前傾角度や上下位置を調節する際に、使用者の後頭部などを保護する。上述のように、ピロー部５０ｂに切欠部Ｕを設け、上揉み玉８６ｂの位置を変えたことにより、保護カバー部５９は実施例１の保護シート部５３と異なる構成（形状や取り付け箇所や保護方法等）となっている。なお、図１１に示すように、カバー部５８及び保護カバー部５９は、オープンファスナーＦ´により本体ケース部９５ｂ等に着脱可能に構成されている。
【００６７】
なお、マッサージ機３ｂにおいては、左右一対の支持部材３５及び係止具４５ｂの配設間隔を、実施例１のマッサージ機３に比べて広くなるように配設するとともに、係止具４５ｂに支持部材３５を把持する長さの大きいものを使用して、ピロー部５０ｂに掛かる負荷に対する耐久性を強化している。また、このような係止具４５ｂ等の変更に伴い、ケーブルＥの引出位置（引出孔４８等の位置）を中央に移動した構成としている。なお、これらの機能は実施例１のマッサージ機３と変わらないので、詳細については省略する。
【００６８】
次に、第二の特徴部分である繋ぎ部３３ｂについて説明する。図１３は、マッサージ機を備えた椅子Ｂのマッサージ機３ｂの繋ぎ部３３ｂを正面斜め上方から視認した状態を示す一部拡大斜視図である。なお、図１３においては、便宜上、後述する係止部材Ｋ１，Ｋ２を剥離した状態を図示するために、座部３０を前方にずらして示している。
繋ぎ部３３ｂは、図１３に示すように、背凭れ部４０の下端部から下方に突出するように形成された背凭れ側繋ぎ部３３ｂ１と、座部３０の後端部から上方に突出するように形成された座部側繋ぎ部３３ｂ２と、これらを着脱自在に係止する係止部材Ｋ（Ｋ１，Ｋ２）とからなる。背凭れ側繋ぎ部３３ｂ１と座部側繋ぎ部３３ｂ２は、それぞれ柔軟性を有する素材（例えば、合成皮革や布など）からなる略矩形のシート状の部材である。背凭れ側繋ぎ部３３ｂ１と座部側繋ぎ部３３ｂ２には、その相対向する面に互いに係着／剥離可能な一対の面ファスナーＫ１，Ｋ２が設けられており、面ファスナーＫ１は、背凭れ側繋ぎ部３３ｂ１の背面側に、面ファスナーＫ２は、座部側繋ぎ部３３ｂ２の上面側に取り付けられている。なお、面ファスナーＫ１，Ｋ２を係着させた際には、実施例１のマッサージ機３の繋ぎ部３３と同様に、背凭れ部４０の下端部と座部３０の後端部とを遊びを設けた状態で繋がれるように構成されている。
【００６９】
座部３０は、実施例１のマッサージ機３と同様に振動機構（図示せず）を内部に搭載しており、これに電力を供給するために背凭れ部４０と座部３０とは、ケーブルＧ（Ｇ１，Ｇ２）より接続されている。背凭れ部４０から引き出されたケーブルＧ１と座部３０から引き出されたケーブルＧ２とは、安全性などを確保するために接続部ｇにより着脱可能となっており、ケーブルＧの全長は、例えば、略５０ｃｍである。なお、実施例１のマッサージ機３においては、振動機構に電力を供給するケーブルの図示を省略しているが、繋ぎ部３３内に配設されている。
【００７０】
繋ぎ部３３ｂ及びケーブルＧを上述のような構成とすることにより、使用者は、繋ぎ部３３ｂの面ファスナーＫ１，Ｋ２を剥離して、座部３０を背凭れ部４０から取り外して使用することができる。例えば、椅子１の前方に設置した台の上に取り外した座部３０を置き、椅子１に座って台上の座部３０の上にふくらはぎを載せれば、振動機構を動作させることにより、使用者はふくらはぎや膝裏などをほぐすことができる。また、取り外した座部３０を足の下に置けば、使用者は足裏をほぐすことが可能となる。ここで、ケーブルＧは、使用者が取り外した座部３０を移動させて、ほぐしたい所望の箇所に設置可能な構成とされていればよい。なお、このような繋ぎ部３３ｂ等の変更に伴い、マッサージ機３ｂにおいては、リモコンを収納するリモコンポケットＰ´が、背凭れ部４０の正面視左側面の下側部分に、上方に開口するポケットとして設けられている。
【００７１】
本発明の実施例２のマッサージ機を備えた椅子Ｂによれば、実施例１のマッサージ機を備えた椅子Ａによる効果に加え、以下のような効果を有する。
実施例１のマッサージ機３においては、図９に示すように、一対の揉み玉８６をピロー部５０の上部から大きく突出させ、両上揉み玉８６の間に空間を設けた構成としている。このような構成により、背凭れ部４０を立てた状態でピロー部５０を深く（例えば、略９０度）前傾させても、使用者が首を前傾させて少しうつむいた体勢をとるだけで、首の付け根や肩の上面側の筋肉を揉みほぐすことができる。これに対し、実施例２のマッサージ機３ｂにおいては、ピロー部５０ｂの上部に切欠部Ｕを設けることにより、ピロー部５０を前傾させても使用者の後頭部や首の後部がぶつかることがなく、使用者は前方を向いた状態で後頭部から首筋、首の付け根や肩の上面側の筋肉を揉みほぐすことができる。
【００７２】
また、ピロー部５０ｂの切欠部Ｕには、後頭部又は／及び首の後部をしっかりと凭せ掛けることができ、肩や首の力を抜いてリラックスした状態で肩上面等を揉みほぐすことができる。さらに、切欠部Ｕは、上述したように使用者が後頭部を動かせるような大きさに形成しているので、所望の左右方向に顔を動かすこともできる。また、首を左右どちらかに傾けることで、コリの強い方を強く揉みほぐすような体勢をとることもできる。
【００７３】
さらに、実施例２のマッサージ機３ｂにおいては、図１３に示すように、繋ぎ部３３ｂを背凭れ部４０と座部３０とを着脱可能に繋ぐことができるように構成したので、座部３０を背凭れ部４０から取り外して移動させることができる。よって、使用者は、座部３０のマッサージ機構により、臀部や大腿部以外の所望の箇所の筋肉のコリをほぐすのに使用することが可能である。また、係止部材Ｋ１，Ｋ２を、背凭れ側繋ぎ部３３ｂ１と座部側繋ぎ部３３ｂ２にそれぞれ取り付けてあるので、背凭れ部４０に座部３０を着脱しやすい。
【００７４】
なお、マッサージ機を備えた椅子Ｂ、椅子１及びマッサージ機３ｂの各部材の形状、大きさ、構成等は、実施例１と同様、上述した実施の形態に限定されず、ピロー部５０ｂを前傾させた際に使用者が後頭部又は／及び首の後部を差し入れることができる切欠部Ｕを備えた構成であればよく、本発明の要旨を逸脱しない範囲で種々変更できることは勿論である。例えば、上述した実施例においては、切欠部Ｕの切欠幅ｊを上方に向かって徐々に大きくなるように構成して、顔を所望の方向に向けることができる構成としたが、同じ大きさに形成して（切欠部Ｕを正面視Ｕ字状として）顔を前方に向けた状態でしっかり保持する構成としてもよい。
【００７５】
また、例えば、切欠部Ｕの形状や大きさ等を、人の後頭部や首の後部の水平方向又は／及び鉛直方向の湾曲に合うように形成したり、切欠部Ｕの内壁面に、クッション性を有する部材（例えば、低反発ウレタンフォームを使用した部材）を取り付けるなどとして、使用者の後頭部等にフィットするような構成としてもよい。
【００７６】
さらに、上揉み玉８６ｂの大きさ、突出量や位置なども、切欠部Ｕの形状に合うように、適宜変更できることは勿論である。また、本実施例においては、２つの上揉み玉８６ｂの基端側を収納部７１（図示せず）に固定しているが、例えば、実施例１の下揉み玉４２と同様に、レール部材とこれに噛合する歯車を用いるなどして本体ケース部９５ｂ内を移動可能な構成としてもよい。使用者がリモコン操作などで上揉み玉８６ｂの位置を動かし、２つの上揉み玉８６ｂの間隔を適宜広げたり戻したりできるようにすることで、例えば、肩上面においては、首の付け根側だけでなく腕の付け根側まで揉みほぐすことができる。
【００７７】
また、繋ぎ部３３ｂについても、上述した実施の形態に限定されず、係止部材Ｋにより、座部３０を背凭れ部４０に着脱自在に繋ぐことができる構成であればよい。本実施例の繋ぎ部３３ｂにおいては、背凭れ側繋ぎ部３３ｂ１と座部側繋ぎ部３３ｂ２とを有する構成として座部３０の高さ調節も可能としているが、繋ぎ部３３ｂは、例えば、係止部材Ｋのみから構成するようにしてもよい。具体的には、テープ幅の広いオープンファスナーを使用して、オープンファスナーのテープの一方の側部を背凭れ部４０に、他方の側部を座部３０にと、直に係止部材Ｋを背凭れ部４０と座部３０とに設けることもできる。この場合、座部３０を背凭れ部４０から取り外した状態とすれば、マッサージ機３ｂ等をコンパクトに収納できる。なお、係止部材Ｋは脱着可能な部材であればよく、面ファスナーに限らず、例えば、ボタンとボタンホールとの組み合わせ、雄スナップボタンと雌スナップボタンとの組み合わせ、鉤ホックと鉤受けとの組み合わせなどでもよい。
ケーブルＧは、使用者が、臀部や大腿部以外の所望の箇所をほぐすために、適宜座部３０を移動させて振動機構を動作させることができるように構成されていればよく、その全長なども上述した構成に限らない。また、座部３０の内部には、使用者の身体のコリをほぐすことができるマッサージ機能を有するマッサージ機構を搭載していればよく、上述した振動機構に限らず、例えば、ローラ部材などでもよく、ヒーター機能をさらに備えたものとしてもよい。
【００７８】
最後に確認事項として上述した実施の形態から抽出される発明の特徴について、必要に応じて効果等を示しつつ説明する。なお、実施例で示した構成要素との対応がわかるように明示しているが、明示した構成に限定されず、発明の要旨を逸脱しない範囲で種々変更が可能である。
【００７９】
［マッサージ機Ｍ１］
使用者の背中を保持する背凭れ部（４０）と、前記背凭れ部と別体であり、使用者の頭又は／及び首を保持するピロー部（５０）と、前記ピロー部を前記背凭れ部の略上方に支持する支持部材（３５）と、を備え、前記ピロー部は、前面上部から略前方に突出するように設けられた左右一対の揉み玉（８６）と、前記揉み玉を動作させる動作機構（６０）と、前記揉み玉を前傾させてその状態を保持することができる前傾保持部（９４）と、を有する、ことを特徴とするマッサージ機。
このマッサージ機によれば、背凭れ部と別体であるピロー部を、支持部材を介して背凭れ部に支持させることにより、背凭れ部とピロー部との間に隙間を作ることができ、ピロー部を深く前傾させることができる。また、ピロー部の上部から揉み玉を突出させているので、後頭部だけでなく、頭にぶつかることなくピロー部を前傾させて、肩の上面側の筋肉を略上方から揉みほぐすことができる。
【００８０】
［マッサージ機Ｍ２］
使用者の背中を保持する背凭れ部（４０）と、前記背凭れ部と別体であり、使用者の頭又は／及び首を保持するピロー部（５０ｂ）と、前記ピロー部を前記背凭れ部の略上方に支持する支持部材（３５）と、を備え、前記ピロー部は、正面視において上側略中央部に形成された切欠部（Ｕ）と、前記切欠部の縦中心線に対して略線対称に、前面上部から略前方に突出するように設けられた左右一対の揉み玉（８６ｂ）と、前記揉み玉を動作させる動作機構（６０）と、前記揉み玉を前傾させてその状態を保持することができる前傾保持部（９４）とを有する、ことを特徴とするマッサージ機。
このマッサージ機によれば、背凭れ部と別体であるピロー部を、支持部材を介して背凭れ部に支持させることにより、背凭れ部とピロー部との間に隙間を作ることができ、ピロー部を深く前傾させることができる。また、ピロー部の上側略中央部に切欠部が形成されているので、ピロー部を前傾させた際に、使用者はこの切欠部に後頭部等を差し入れて、首を前傾させることなく前方を向いた状態で、肩の上面側の筋肉を略上方から揉みほぐすことができる。また、使用者は切欠部に後頭部等を凭せ掛けるなどしてリラックスした状態で、コリを効果的に揉みほぐすことができる。
【００８１】
［マッサージ機Ｍ３］
上記マッサージ機Ｍ１又はＭ２において、前記ピロー部は、前記前傾保持部により、前記背凭れ部となす角度が少なくとも略９０度となる位置まで前傾可能である、ことを特徴とするマッサージ機。
このマッサージ機によれば、肩の上面側の筋肉にを上方から揉み玉を当てることができるので、コリを効果的に揉みほぐすことができる。
【００８２】
［マッサージ機Ｍ４］
上記マッサージ機Ｍ１乃至Ｍ３のいずれかにおいて、前記前傾保持部は、前記背凭れ部に対する前傾角度を調節可能に保持することができる、ことを特徴とするマッサージ機。
このマッサージ機によれば、前傾角度を調節して、後頭部から首筋、首の付け根や肩の上面側の筋肉を適宜揉みほぐすことが可能である。
【００８３】
［マッサージ機Ｍ５］
上記マッサージ機Ｍ１乃至Ｍ４のいずれかにおいて、前記ピロー部は、前記支持部材の突出長さを調節することにより、前記背凭れ部に対して上下方向の位置調節可能に設けられている、ことを特徴とするマッサージ機。
このマッサージ機によれば、体型や患部の位置に合うように、ピロー部を上下動させることができる。
【００８４】
［マッサージ機Ｍ６］
上記マッサージ機Ｍ１乃至Ｍ５のいずれかにおいて、前記動作機構は、前記揉み玉を回転動作させ、前記揉み玉は、正面視においてその先端部の軌跡が略円形である、ことを特徴とするマッサージ機。
このマッサージ機によれば、様々な向きに走る筋肉を効果的に揉みほぐすことができる。
【００８５】
［マッサージ機Ｍ７］
上記マッサージ機Ｍ１乃至Ｍ５のいずれかにおいて、前記動作機構は、前記揉み玉を回転動作させ、前記揉み玉は、先端が球面状の円筒形状であり、前記ピロー部の前面から斜めに突出するように、かつ、所定の間隔で配設されたことを特徴とするマッサージ機。
このマッサージ機によれば、前傾保持部により揉み玉の位置を変えることができるので、使用者は、後頭部や肩のコリに対しては、揉み玉を患部に略対面するように配置し、その先端部で上から押すようにして揉みほぐすことができ、首筋のコリに対しては、一対の揉み玉を患部の両側に配置し、その側面部により摘むようにして揉みほぐすことができる。後頭部から首筋、首の付け根、肩の上面側にかけて、対象箇所に適した方法で揉みほぐすことができる。
【００８６】
［マッサージ機Ｍ８］
上記マッサージ機Ｍ１乃至Ｍ７のいずれかにおいて、前記背凭れ部と別体に形成された座部（３０）と、前記背凭れ部に前記座部を着脱可能に繋ぐ繋ぎ部（３３ｂ）と、をさらに備え、前記座部は、マッサージ機能を有するマッサージ機構を内蔵している、ことを特徴とするマッサージ機。
このマッサージ機によれば、使用者は、座部を背凭れ部から取り外し、臀部や大腿部以外の箇所の筋肉のコリをほぐすのに使用することが可能である。
【００８７】
［マッサージ機Ｍ９］
上記マッサージ機Ｍ１乃至Ｍ７のいずれかにおいて、前記背凭れ部と別体に形成された座部（３０）と、前記背凭れ部と前記座部とを繋ぐ繋ぎ部（３３，３３ｂ）と、をさらに備え、前記座部は、前記繋ぎ部により前記背凭れ部に対して高さ調節可能に設けられている、ことを特徴とするマッサージ機。
このマッサージ機によれば、体型や患部の位置に合わせて、座部を上下動させることができる。
【００８８】
［マッサージ機Ｍ１０］
上記マッサージ機Ｍ８又は９において、前記繋ぎ部（３３，３３ｂ）には、柔軟性を有するシート状の部材が用いられている、ことを特徴とするマッサージ機。
このマッサージ機によれば、着脱や高さ調節を簡単に行うことができる。
【００８９】
［マッサージ機を備えた椅子Ｃ１］
使用者の背中を保持する背凭れ部（４０）と、前記背凭れ部と別体であり、使用者の頭又は／及び首を保持するピロー部（５０）と、前記ピロー部を前記背凭れ部の略上方に支持する支持部材（３５）と、を備え、前記ピロー部は、前面上部から略前方に突出するように設けられた左右一対の揉み玉（８６）と、前記揉み玉を動作させる動作機構（６０）と、前記揉み玉を前傾させてその状態を保持することができる前傾保持部（９４）とを有する、ことを特徴とするマッサージ機を備えた椅子。
このマッサージ機を備えた椅子によれば、背凭れ部と別体であるピロー部を、支持部材を介して背凭れ部に支持させることにより、背凭れ部とピロー部との間に隙間を作ることができ、ピロー部を深く前傾させることができる。また、ピロー部の上部から揉み玉を突出させているので、後頭部だけでなく、頭にぶつかることなくピロー部を前傾させて、肩の上面側の筋肉を略上方から揉みほぐすことができる。
【００９０】
［マッサージ機を備えた椅子Ｃ２］
使用者の背中を保持する背凭れ部（４０）と、前記背凭れ部と別体であり、使用者の頭又は／及び首を保持するピロー部（５０ｂ）と、前記ピロー部を前記背凭れ部の略上方に支持する支持部材（３５）と、を備え、前記ピロー部は、正面視において上側略中央部に形成された切欠部（Ｕ）と、前記切欠部の縦中心線に対して略線対称に、前面から略前方に突出するように設けられた左右一対の揉み玉（８６ｂ）と、前記揉み玉を動作させる動作機構（６０）と、前記揉み玉を前傾させてその状態を保持することができる前傾保持部（９４）とを有する、ことを特徴とするマッサージ機を備えた椅子。
このマッサージ機を備えた椅子によれば、背凭れ部と別体であるピロー部を、支持部材を介して背凭れ部に支持させることにより、背凭れ部とピロー部との間に隙間を作ることができ、ピロー部を深く前傾させることができる。また、ピロー部の上側略中央部に切欠部が形成されているので、ピロー部を前傾させた際に、使用者はこの切欠部に後頭部等を差し入れて、首を前傾させることなく前方を向いた状態で、肩の上面側の筋肉を略上方から揉みほぐすことができる。また、使用者は切欠部に後頭部等を凭せ掛けるなどしてリラックスした状態で、コリを効果的に揉みほぐすことができる。
【産業上の利用可能性】
【００９１】
本発明のマッサージ機及びそれを備えた椅子は、背凭れのある椅子を装備するものであれば、例えば、自動車や飛行機内の椅子など、様々な分野に応用して利用することができる。
【符号の説明】
【００９２】
１  椅子
３,３ｂ  マッサージ機
１０  脚フレーム部
１５  手摺部
３０  座部
３３,３３ｂ  繋ぎ部
３５  支持部材
３７  背シート部材
４０  背凭れ部
４１  下マッサージ手段
４２  下揉み玉
５０,５０ｂ  ピロー部
５１  枕本体部
５３  保護シート部
５５  上揉み玉カバー部
５７  本体部
５８  カバー部
５９  保護カバー部
６０,６０ｂ  上揉み玉動作機構
６１  駆動部
６２  モータ
６３  駆動軸
６４  ウォーム
６５  伝達部
６６  ギア部
６９  作動軸
７１  収納部
８１  上揉み玉部
８２  傾斜偏心板
８３  台座部
８４  取付部
８５  弾性部材
８６,８６ｂ  上揉み玉
８７  上揉み玉本体部
８８  上揉み玉先端部
９０  角度調節機構
９１  ケース支持部
９４  角度調節部（前傾保持部）
９５,９５ｂ  本体ケース
Ａ    マッサージ機を備えた椅子
Ｂ    マッサージ機を備えた椅子
Ｃ    高さ調節部材
Ｕ    切欠部
【図１】
2016116841.tif 000003
【図２】
2016116841.tif 000004
【図３】
2016116841.tif 000005
【図４】
2016116841.tif 000006
【図５】
2016116841.tif 000007
【図６】
2016116841.tif 000008
【図７】
2016116841.tif 000009
【図８】
2016116841.tif 000010
【図９】
2016116841.tif 000011
【図１０】
2016116841.tif 000012
【図１１】
2016116841.tif 000013
【図１２】
2016116841.tif 000014
【図１３】
2016116841.tif 000015